(57)【要約】【課題】本発明は、床上に敷設される畳の固定機能に優れ、脱着操作も容易であり、保管スペースも小さくて済み、床上からの作業のみで框の各部材を簡易に取り付けることができるようにした畳寄せ框構造を提供する。【解決手段】本発明の畳寄せ框構造は、武道場等の床１上に敷設される畳３０の周辺部に配置され、畳３０の位置ずれを防止する畳寄せ框構造であって、床１に設けた下部側にガイド長穴６を設けた段付き穴部５と、段付き穴部５の下側に配置されるとともに前記ガイド長穴６に嵌入するガイドピン７を備えた下側補助金具９と、段付き穴部５内に埋め込まれ、前記ガイドピン７のガイド長穴６への嵌入にて段付き穴部５下側で位置決めされる下側補助金具９に対してボルト止めにて固定される埋め込み金具１０とを備えた框材受け機構２と、前記畳３０の周辺部に一片１ａが当接され、前記床１上に配置される他片１ｂが段付き穴部５内の埋め込み金具１０にボルト止めにて固定されるＬ状の框材３とを有するものである。【選択図】図２
2005090140.tif 000002
【特許請求の範囲】
【請求項１】
武道場等の床上に敷設される畳の周辺部に配置され、畳の位置ずれを防止する畳寄せ框構造であって、
床に設けた下部側にガイド長穴を設けた段付き穴部と、段付き穴部の下側に配置されるとともに前記ガイド長穴に嵌入するガイドピンを備えた下側補助金具と、段付き穴部内に埋め込まれ、前記ガイドピンのガイド長穴への嵌入にて段付き穴部下側で位置決めされる下側補助金具に対してボルト止めにて固定される埋め込み金具とを備えた框材受け機構と、
前記畳の周辺部に一片が当接され、前記床上に配置される他片が段付き穴部内の埋め込み金具にボルト止めにて固定されるＬ状の框材と、
を有することを特徴とする畳寄せ框構造。
【請求項２】
武道場等の床上に敷設される畳の周辺部に配置され、畳の位置ずれを防止する畳寄せ框構造であって、
床に設けた下部側に矩形状のガイド長穴を設けた段付き穴部と、段付き穴部の下側に配置されるとともに前記ガイド長穴に嵌入するガイドピン及びボルト孔を備えた下側補助金具と、
段付き穴部内に埋め込まれ、前記ガイドピンのガイド長穴への嵌入にて段付き穴部下側で位置決めされる下側補助金具のボルト孔に対して、固定ボルトによるボルト止めにて固定される框材用ボルト孔を備えた埋め込み金具と、
を備えた框材受け機構と、
前記畳の周辺部に一片が当接され、前記床上に配置される他片が段付き穴部内の埋め込み金具の框材用ボルト孔に框材用ボルトにてボルト止め固定されるＬ状の框材と、
を有することを特徴とする畳寄せ框構造。
【請求項３】
前記Ｌ状の框材は、合成樹脂材又は鉄材等の金属材からなることを特徴とする請求項１又は２記載の畳寄せ框構造。
【請求項４】
前記Ｌ状の框材の一辺上に、畳を敷設することを特徴とする請求項１乃至３のいすれかに記載の畳寄せ框構造。
【発明の詳細な説明】
【技術分野】
【０００１】
本発明は、畳寄せ框構造に関し、詳しくは、武道場、体育館等の屋内運動場の床に適用して好適な畳寄せ框構造に関するものである。
【背景技術】
【０００２】
従来、武道場、体育館等の屋内運動場の床において、畳を使用して行なう柔道と、それ以外の畳を使用しないで行なう他の種目（例えば剣道等）とを区別して転換使用する場合には、柔道用の畳を所要数敷設した際にその外周部を畳寄せ框で押さえ固定し、他の種目を実施する際には畳及び畳寄せ框を除去し、床全体を平坦にすることが必要となる。
このため、畳寄せ框としては床に対して脱着可能な構造を有するものが用いられている。
【０００３】
図１０乃至図１３に従来の畳寄せ框構造を示す。
この畳寄せ框構造は、所要数の畳３０が並べて置かれた武道場等の床２０における前記畳３０の周辺部に設けた溝穴２２内に対して埋め込み金具２１を配置し、木ネジ２３にてこの埋め込み金具２１を溝穴２２内でネジ止め固定する。
そして、畳３０の周辺部に当接させた木材からなり下面に前記溝穴２２内に挿入されるプレート２４ａを装着した框２４に、ボルト２５ａを挿入し、ボルト２５ａを前記埋め込み金具２１に設けたネジ孔に螺合することで框２４を固定し、これにより框２４にて畳３０の周辺部を押さえて畳３０の位置ずれを防止するものである。
また、畳３０を撤去し、剣道場等に転換する際には、前記ボルト２４を緩めて框２４から外し、畳３０を運び出して床２０を露出させる。
この場合、溝穴２２の部分が窪みとなるため、この部分に、図１２に示すように框２４の上部溝に装着脱自在なものとして使用したカラー１４を、図１３に示すように埋設して床２０の平坦性を確保する。なお、図１２中、２６は基礎床、２７は桟である。
【０００４】
しかし、図示する従来の畳寄せ框構造の場合、埋め込み金具２１が木ネジ２３にて床２０に固定されているため、床２０に対する固定力が十分でなく、框２４の脱着の繰り返しにより埋め込み金具２１が床２０から離脱し易いという問題がある。
【０００５】
また、図示する従来の畳寄せ框構造の場合、上記と同様な理由で、框２４を固定するためのボルト２５ａに適正な締付力を付与することができず、柔道競技や練習の実行時に畳３０の位置ずれによる剪断力が框２４を介してボルト２５ａに作用し、框２４が固定位置から離脱してしまうという問題もある。このため、更に剪断力を吸収するための手段としての補助金具（図示せず）的なものを付加して用いることが必要となる場合もあるので、畳３０の敷設時の煩雑さが更に増加する。
更にまた、図示する従来の畳寄せ框構造の場合、床面を剣道場等として使用する場合には、柔道競技や練習の実行時に使用した前記畳３０をかたずけなければならない。この際、溝穴２２の部分の窪みに、框２４の上部溝に装着脱自在なものとして使用したカラー１４を図１３に示すように埋設して床２０の平坦性を確保する必要がある。そして、当該カラー１４を埋設の際に、カラー１４を固定し、且つ、その頂面の溝穴を埋めるに適した短いボルト２５ｂ（前記長めのボルト２５ａとは異なる）を個別に用意し用いる必要があり、この点でも、図示する従来の畳寄せ框構造の場合、煩雑さが一層増加する。
【０００６】
更に、図示する従来の畳寄せ框構造の場合には、框２４は木材を用いて形成しているため、強度確保のために形状を大きくする必要があり、この結果、保管時の占有スペースの増大や道場等の使用（練習及び試合）中に框に衝突し怪我を招くという問題もある。
【０００７】
従来においても、特許文献１において、床上に敷込んだ畳と、その周辺部の仕切り材（框）との間に、隙間密封材を圧縮介在させ、柔道競技や練習の実行時の畳の位置ずれ、隙間発生を防止するようにした構造が開示されている。
【０００８】
しかし、この構造の場合でも、仕切り材を既述した框２４の場合と同様、木材を用いて形成しているため、強度確保のために形状を大きくする必要があるという問題がある。
【特許文献１】特開平０５−１６３８１８号公報
【発明の開示】
【発明が解決しようとする課題】
【０００９】
本発明は、上記従来の実情に鑑み開発されたものであり、床上に敷設される畳の固定機能に優れ、脱着操作も容易であり、保管スペースも小さくて済み、更に道場等の使用（練習及び試合）中に怪我の起こらないような畳寄せ框構造を提供することを目的とするものである。
【課題を解決するための手段】
【００１０】
請求項１記載の発明の畳寄せ框構造は、武道場等の床上に敷設される畳の周辺部に配置され、畳の位置ずれを防止する畳寄せ框構造であって、床に設けた下部側にガイド長穴を設けた段付き穴部と、段付き穴部の下側に配置されるとともに前記ガイド長穴に嵌入するガイドピンを備えた下側補助金具と、段付き穴部内に埋め込まれ、前記ガイドピンのガイド長穴への嵌入にて段付き穴部下側で位置決めされる下側補助金具に対してボルト止めにて固定される埋め込み金具とを備えた框材受け機構と、前記畳の周辺部に一片が当接され、前記床上に配置される他片が段付き穴部内の埋め込み金具にボルト止めにて固定されるＬ状の框材とを有することを特徴とするものである。
【００１１】
請求項２記載の発明のは、武道場等の床上に敷設される畳の周辺部に配置され、畳の位置ずれを防止する畳寄せ框構造であって、床に設けた下部側に矩形状のガイド長穴を設けた段付き穴部と、段付き穴部の下側に配置されるとともに前記ガイド長穴に嵌入するガイドピン及びボルト孔を備えた下側補助金具と、段付き穴部内に埋め込まれ、前記ガイドピンのガイド長穴への嵌入にて段付き穴部下側で位置決めされる下側補助金具のボルト孔に対して、固定ボルトによるボルト止めにて固定される框材用ボルト孔を備えた埋め込み金具と、を備えた框材受け機構と、前記畳の周辺部に一片が当接され、前記床上に配置される他片が段付き穴部内の埋め込み金具の框材用ボルト孔に框材用ボルトにてボルト止め固定されるＬ状の框材とを有することを特徴とするものである。
【００１２】
請求項３記載の発明の畳寄せ框構造は、請求項１又は２記載の畳寄せ框構造において、前記Ｌ状の框材は、合成樹脂材又は鉄材等の金属材からなることを特徴とするものである。
【００１３】
請求項４記載の発明の畳寄せ框構造は、請求項１乃至３のいすれかに記載の畳寄せ框構造において、前記Ｌ状の框材の一辺上に、畳を敷設することを特徴とするものである。
【発明の効果】
【００１４】
本発明によれば、床上に敷設される畳の固定機能に優れ、脱着操作も容易であり、保管スペースも小さくて済み、練習中や試合中等に怪我の起こりにくい畳寄せ框構造を提供することができる。
【発明を実施するための最良の形態】
【００１５】
本発明の畳寄せ框構造は、床に設けた下部側に矩形状のガイド長穴を設けた段付き穴部に対して、その下側にガイド長穴より長い下側補助金具を配置し、前記ガイドピンのガイド長穴への嵌入にて段付き穴部下側で下側補助金具を位置決めする。この状態で、下側補助金具のボルト孔に対して、框材用ボルト孔を備えた埋め込み金具を固定ボルトによるボルト止めにて固定し、床上からの作業のみで框の各部材を簡易に取り付けることができるようにした框材受け機構を構成する。
【００１６】
この框材受け機構に対して、畳の周辺部に一片を当接させたＬ状の框材の他片を段付き穴部内の埋め込み金具の框材用ボルト孔に框材用ボルトにてボルト止め固定することで、Ｌ状の框材にて畳の周辺部を確実に押さえて位置ずれ防止を図ることができる。
【００１７】
また、框材用ボルトを緩める簡略な操作だけで埋め込み金具から離脱させることで、Ｌ状の框材を床から容易に撤去でき、床上に敷設される畳の固定機能に優れ、脱着操作も容易な畳寄せ框構造を提供できる。更に、框材を側面Ｌ状としているので、従来の框材に比べて小寸法に形成でき、保管スペースも小さくて済み、更に、框材を特に合成樹脂製とし軽量化することにより框材の運搬も便利な畳寄せ框構造を提供できる。また、前記Ｌ状の框材の一辺上に、畳を敷設することで、Ｌ状の框材の一辺が畳に隠れて見えなくなり、練習者や競技者等が畳の縁に衝突しても怪我が起こりにくくなる。
【実施例】
【００１８】
以下、本発明の実施の形態を詳細に説明する。
図１、図２は、本発明の実施の形態の畳寄せ框構造を示すものであり、この畳寄せ框構造は、例えば武道場等の床１上に並べて敷設される所要数の畳３０の周辺部に着脱可能に配置され、畳３０の位置ずれを防止するものである。
【００１９】
すなわち、この畳寄せ框構造は、基礎床２６の上側に桟２７を介して水平に支持される床１に設けた複数個の框材受け機構２に対して、側面形状がＬ状の例えば合成樹脂材又は鉄等の金属材からなる框材３を框材用ボルト４を用いて各々ネジ止め固定するようになっている。
【００２０】
上記框材受け機構２は、図５にも示すように、前記床１に上部側に円形孔５ａ、下部側に矩形状のガイド長穴６を有する段付き穴部５を穿設し、この段付き穴部５の下側に、図３、図４に示すように、前記ガイド長穴６に嵌入するガイドピン７及び２個のボルト孔８を備えたガイド長穴６よりも長い薄型直方体状の下側補助金具９を配置している。
【００２１】
また、前記段付き穴部５の円形孔５ａの内部には、２個のボルト挿入孔１１ａ，１１ｂ及びネジ孔１２を有する円板状の埋め込み金具１０を埋め込みようになっている。
【００２２】
そして、前記ガイドピン７のガイド長穴６への嵌入にて段付き穴部５の下側で位置決めされる下側補助金具９のボルト孔８に対して、固定ボルト１３によるボルト止めにて円形孔５ａ内の埋め込み金具１０をネジ止め固定するようになっている。
【００２３】
このような構造からなる框材受け機構２に対して、図２に示すように、前記畳３０の周辺部に一片３ａが当接され、前記床１上に他片３ｂが配置される側面形状がＬ状の框材３を、框材用ボルト４を用い埋め込み金具１０のネジ孔１２にネジ止めすることで固定し、Ｌ状の框材３により畳３０の位置ずれを防止するものである。
【００２４】
図６乃至図９は、框材受け機構２及び框材３の組み立て手順を示すものであり、框材３の取り付け、撤去作業は全て床１の上からとなる。まず、埋め込み金具１０のいずれか一方のボルト挿入孔１１ｂに片方の固定ボルト１３を予め締着して下側補助金具９を予め取り付ける。次に、下側補助金具９を傾けた状態でガイド長穴６から段付き穴部５の下側に挿入しつつ埋め込み金具１０を段付き穴部５内に配置する。
【００２５】
更に、固定ボルト１３を回すことにより一緒に下側補助金具９も回転して下側補助金具９はガイドピン７とガイド長穴６に一致した位置にガイドされる。これにより、もう１個の固定ボルト１３を埋め込み金具１０のボルト挿入孔１１ａに挿通し、下部補助金具９のボルト孔８に取り付けることができ、２個のボルト孔８をネジ込み締め付けることで、図８に示すように、前記段付き穴部５内で埋め込み金具１０を強固に固定し、穴部５内にカラー１４を予め挿入し框材３を框材用のボルト４で固定する。
【００２６】
柔道場としての使用が終了した後、剣道場等に転換する場合には、框材用ボルト４を緩めて埋め込み金具１０、框材３から離脱させ、框材３をフリーの状態とし、この框材３、更には各畳３０を床１上から撤去し、図９に示すように、カラー１４の上から框材用のボルト４を取り付けることで、床１上を平坦面に戻し、剣道場等としての使用が可能な状態とするものである。
【００２７】
なお、框材３を撤去した後の段付き穴部５の円形孔５ａの部分には、図９に示すように、カラー１４が床１の平坦性を確保し、更にカラー１４を框材用ボルト４を用いて埋め込み金具１０に固定することで、框材用ボルト４の紛失を防止できる。
【００２８】
以上説明したように、本実施の形態によれば、床１に設けた下部側に矩形状のガイド長穴６を設けた段付き穴部５に対して、その下側に下側補助金具９を配置し、前記ガイドピン７のガイド長穴６への嵌入にて段付き穴部５下側で下側補助金具９を位置決めし、この状態で、埋め込み金具１０を固定ボルト１３によるボルト止めにて下側補助金具９に固定して框材受け機構を構成する。次に、框材受け機構に対して框材用ボルト４を用いてＬ状の框材３をボルト止め固定することで、Ｌ状の框材３にて畳３０の周辺部を確実に押さえて位置ずれ防止を図ることができる。
本実施の形態の畳寄せ框構造によれば、埋め込み金具１０と下側補助金具９等の取り付けを、床上からの作業のみで簡易に行なうことができる。
【００２９】
また、框材用ボルト４を緩める簡略な操作だけで埋め込み金具１０から離脱させることで、Ｌ状の框材３を床１から容易に撤去でき、床１上に敷設される畳３０の固定機能に優れ、脱着操作も容易な畳寄せ框構造を提供できる。更に、框材３を側面Ｌ状としているので、従来の框材に比べ小寸法に形成でき、保管スペースも小さくて済み、更に框材３を特に合成樹脂製とし軽量化することにより框材３の運搬も便利な畳寄せ框構造を提供できる。
【００３０】
なお、前記畳寄せ框構造における框材受け機構２の構成数、Ｌ状の框材３の設置個数は、床１上に敷設する畳３０の設置規模に応じて設定することはもちろんである。また、本発明の畳寄せ框構造は、畳以外にマット等にも使用できる。
【産業上の利用可能性】
【００３１】
本発明は、武道場、体育館等の屋内運動場等々の幅広い分野での各床に幅広く適用できる。
【図面の簡単な説明】
【００３２】
【図１】本発明の実施の形態の畳寄せ框構造の設置状態を示す平面図である。
【図２】本実施の形態の畳寄せ框構造の概略断面図である。
【図３】本実施の形態の畳寄せ框構造における下側補助金具の平面図である。
【図４】本実施の形態の畳寄せ框構造における下側補助金具の断面図である。
【図５】本実施の形態の畳寄せ框構造における段付き穴を示す平面図である。
【図６】本実施の形態の畳寄せ框構造の組み立て状態を示す断面図である。
【図７】本実施の形態の畳寄せ框構造の組み立て状態を示す分解斜視図である。
【図８】本実施の形態の畳寄せ框構造の組み立て状態を示す分解斜視図である。
【図９】本実施の形態の畳寄せ框構造の畳撤去後の状態を示す断面図である。
【図１０】従来の畳寄せ框構造の設置状態を示す平面図である。
【図１１】従来の畳寄せ框構造の部分断面図である。
【図１２】従来の畳寄せ框構造の部分拡大断面図である。
【図１３】従来の畳寄せ框構造の畳撤去後のカラー埋め込み状態を示す断面図である。
【符号の説明】
【００３３】
１    床
２    框材受け機構
３    框材
３ａ  一片
３ｂ  他片
３ｃ  ボルト挿通孔
４    框材用ボルト
５    段付き穴部
５ａ  円形孔
６    ガイド長穴
７    ガイドピン
８    ボルト孔
９    下側補助金具
１０    埋め込み金具
１１ａ，１１ｂ  ボルト挿入孔
１２    ネジ孔
１３    固定ボルト
１４    カラー
２６    基礎床
２７    桟
３０    畳
【図１】
2005090140.tif 000003
【図２】
2005090140.tif 000004
【図３】
2005090140.tif 000005
【図４】
2005090140.tif 000006
【図５】
2005090140.tif 000007
【図６】
2005090140.tif 000008
【図７】
2005090140.tif 000009
【図８】
2005090140.tif 000010
【図９】
2005090140.tif 000011
【図１０】
2005090140.tif 000012
【図１１】
2005090140.tif 000013
【図１２】
2005090140.tif 000014
【図１３】
2005090140.tif 000015